(57)【要約】      （修正有）【課題】補助ディスプレイとして機能する表示装置を備えたゲーム機コントローラーを提供する。【解決手段】表示装置を備えるゲーム機コントローラーは、表示装置３とコントローラー２を備え、表示装置３とコントローラー２は回線により接続、或いは無線伝送装置により相互に連結し、これにより相互間でデータの伝送を行うことができ、表示装置３にはディスプレーを設置し、ゲーム機コントローラーに設置する表示装置３により、使用者がゲームソフトによりプレイしている時、表示装置３を補助ディスプレーとして利用し、ゲーム中の統計データ、情報、画像データ、ゲームの状態、或いは個人の記録を表示することができ、メインディスプレー５と対応させてゲームを行うことができる。【選択図】図３
0003162279.tif 000002
【実用新案登録請求の範囲】
【請求項１】
表示装置、コントローラーを備え、
前記表示装置と前記コントローラーは、回線により接続、或いは無線伝送装置により相互に連結し、これにより相互間でデータの伝送を行うことができ、
前記表示装置には、ディスプレーを設置することを特徴とする表示装置を備えるゲーム機コントローラー。
【請求項２】
前記表示装置は、前記コントローラーに設置し、或いは前記コントローラーの外に設置することを特徴とする請求項１に記載の表示装置を備えるゲーム機コントローラー。
【請求項３】
前記表示装置はさらに、撮影用レンズ、スピーカー、マイク、独立電源を設置することを特徴とする請求項２に記載の表示装置を備えるゲーム機コントローラー。
【請求項４】
前記表示装置のディスプレーは、LCD、OLED、或いはタッチパネルであることを特徴とする請求項３に記載の表示装置を備えるゲーム機コントローラー。
【考案の詳細な説明】
【技術分野】
【０００１】
本考案は表示装置を備えるゲーム機コントローラーに関し、特にゲームソフトでプレイする際、補助ディスプレーを提供できるゲーム機コントローラーに関する。
【背景技術】
【０００２】
ゲーム機コントローラーとは、ゲーム機本体と接続後、ゲームに関連する操作、制御を行うことができるものである。しかし、従来のゲーム機のコントローラーは、たんにゲームの操作を行うことができるだけで、ゲームに関連する統計データ、コンディション情報、或いは図面データをゲーム機コントローラーに表示することはできない。そのため、使用者がゲームに関連するデータ、図面を見たいと欲する場合には、先ずゲームを一時停止しなければ、ゲームの表示画面においてそれらを閲覧することはできず、非常に不便である。
本考案は、従来のゲーム機コントローラーの上記した欠点に鑑みてなされたものである。
【考案の概要】
【考案が解決しようとする課題】
【０００３】
本考案が解決しようとする課題は、ゲーム機コントローラーに表示装置を設置することで、使用者がゲームソフトでプレイする際、表示装置を補助ディスプレーとすることができ、これによりゲームに関連する統計データ、情報、画像データ、ゲームの状態、或いは個人の記録を表示し、これによりメインディスプレーと対応してゲームをプレイでき、それと同時に、使用者は表示装置を通して他のゲームプレーヤーとオンライン接続し、双方向ビデオチャット、或いはテキストメッセージを送ることができ、しかもメインディスプレー中でのゲームの進行には影響せず、ゲーム機のコントローラーとゲーム機本体とが接続していない時には、単独でゲーム機或いはマルチメディアプレーヤーとして使用することができる表示装置を備えるゲーム機コントローラーを提供することである。
【課題を解決するための手段】
【０００４】
上記課題を解決するため、本考案は下記の表示装置を備えるゲーム機コントローラーを提供する。
表示装置を備えるゲーム機コントローラーは、表示装置とコントローラーを備え、
該表示装置と該コントローラーは、回線により接続、或いは無線伝送装置により相互に連結し、これにより相互間でデータの伝送を行うことができ、
該表示装置には、ディスプレーを設置する。
【考案の効果】
【０００５】
本考案の表示装置を備えるゲーム機コントローラーは、ゲーム機コントローラーに設置する表示装置により、使用者がゲームソフトによりプレイしている時、表示装置を補助ディスプレーとして利用し、ゲーム中の統計データ、情報、画像データ、ゲームの状態、或いは個人の記録を表示することができ、メインディスプレーと対応させてゲームを行うことができ、それと同時に、使用者は表示装置を通して他のゲームプレーヤーとオンライン接続し、双方向ビデオチャット、或いはテキストメッセージを送ることができ、しかもメインディスプレー中でのゲームの進行には影響せず、ゲーム機のコントローラーとゲーム機本体とが接続していない時には、単独でゲーム機或いはマルチメディアプレーヤーとして使用することができる。
【図面の簡単な説明】
【０００６】
【図１】本考案アプリケーションシステムのブロックチャートである。
【図２】表示装置の回路ブロックチャートである。
【図３】本考案の実施例図(一)である。
【図４】本考案の実施例図(二)である。
【図５】本考案の実施例図(三)である。
【図６】本考案の実施例図(四)である。
【図７】本考案の実施例図(五)である。
【図８】本考案の実施例図(六)である。
【図９】本考案の参考図(一)である。
【図１０】本考案の参考図(二)である。
【考案を実施するための形態】
【０００７】
以下に図面を参照しながら本考案を実施するための最良の形態について詳細に説明する。
【実施例】
【０００８】
図１〜５、及び図９、１０に示すように、本考案第一実施例の表示装置を備えるゲーム機コントローラー１は、表示装置３とコントローラー２を備える。表示装置３とコントローラー２は、回線により接続、或いは無線伝送装置により相互に連結し、これにより相互間でデータの伝送を行うことができる。表示装置３は、コントローラー２に設置する。表示装置３には、ディスプレー３５、撮影用レンズ３１、スピーカー３２、マイク３３、独立電源３４を設置する。ディスプレー３５は、LCD３５を使用する。ディスプレー３５は、OLED３５、或いはタッチパネル３５を使用することができる。
【０００９】
ゲーム機コントローラー１は、使用者がゲームソフトによりプレイしている時、表示装置３を補助ディスプレーとして利用し、ゲーム中の統計データ、情報、画像データ、ゲームの状態、或いは個人の記録を表示することができ、メインディスプレーと対応させてゲームを行うことができる。使用者は、メインディスプレー５中でのゲームの進行に影響を及ぼさずに、表示装置３を通して同時に他のゲームプレーヤーとオンライン接続し、双方向ビデオチャット、或いはテキストメッセージを送ることができる。また、ゲーム機のコントローラー１とゲーム機本体４とが接続していない時には、単独でゲーム機、或いはマルチメディアプレーヤーとして使用することができる。
【００１０】
図１〜２、及び図６〜８に示すように、本考案第二実施例の表示装置を備えるゲーム機コントローラー１は、表示装置３とコントローラー２を備える。表示装置３とコントローラー２は、回線により接続、或いは無線伝送装置により相互に連結し、これにより相互間でデータの伝送を行うことができる。表示装置３は、コントローラー２の外に設置する。表示装置３には、ディスプレー３５、撮影用レンズ３１、スピーカー３２、マイク３３、独立電源３４を設置する。ディスプレー３５は、LCD３５を使用する。ディスプレー３５は、OLED３５、或いはタッチパネル３５を使用することができる。
【００１１】
ゲーム機コントローラー１は、使用者がゲームソフトによりプレイしている時、表示装置３を補助ディスプレーとして利用し、ゲーム中の統計データ、情報、画像データ、ゲームの状態、或いは個人の記録を表示することができ、メインディスプレーと対応させてゲームを行うことができる。使用者は、メインディスプレー５中でのゲームの進行に影響を及ぼさずに、表示装置３を通して同時に他のゲームプレーヤーとオンライン接続し、双方向ビデオチャット、或いはテキストメッセージを送ることができる。また、ゲーム機のコントローラー１とゲーム機本体４とが接続していない時には、単独でゲーム機、或いはマルチメディアプレーヤーとして使用することができる。
【００１２】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００１３】
本考案は実用新案の要件である新規性を備え、従来の同類製品に比べ十分な進歩を有し、実用性が高く、社会のニーズに合致しており、産業上の利用価値は非常に大きい。
【符号の説明】
【００１４】
１  ゲーム機コントローラー
２  コントローラー
３  表示装置
３１  撮影用レンズ
３２  スピーカー
３３  マイク
３４  独立電源
３５  ディスプレー
４  ゲーム機本体
５  メインディスプレー
【図１】
0003162279.tif 000003
【図２】
0003162279.tif 000004
【図３】
0003162279.tif 000005
【図４】
0003162279.tif 000006
【図５】
0003162279.tif 000007
【図６】
0003162279.tif 000008
【図７】
0003162279.tif 000009
【図８】
0003162279.tif 000010
【図９】
0003162279.tif 000011
【図１０】
0003162279.tif 000012